(57)【要約】【課題】  ＬＥＤ照明装置全体を大型化及び重量化することなく、十分な発光量を得ることができるＬＥＤ照明装置を提供すること。【解決手段】  本発明に係るＬＥＤ照明装置は、角筒状のハウジングの下端に、複数のＬＥＤが装着されたＬＥＤ基板を設け、前記ハウジングの上端に電源装置を配置すると共に、前記電源の下方に冷却ファンを配置し、前記ＬＥＤ基板におけるハウジング内部側に放熱板を設け、前記冷却ファンから送風される冷却風が前記放熱板に衝突するようにすると共に、前記ハウジングの対向する一対の側壁に冷却ファンへ外気を導入するための吸気孔を形成し、前記吸気孔が形成された側壁に隣接する側壁に、冷却ファンから送られる冷却風を排気する排気孔を形成したことを特徴とする。【選択図】    図４
2011146319.tif 000002
【特許請求の範囲】
【請求項１】
角筒状のハウジングの下端に、複数のＬＥＤが装着されたＬＥＤ基板を設け、
前記ハウジングの上端に電源装置を配置すると共に、
前記電源の下方に冷却ファンを配置し、
前記ＬＥＤ基板におけるハウジング内部側に放熱板を設け、
前記冷却ファンから送風される冷却風が前記放熱板に衝突するようにすると共に、
前記ハウジングの対向する一対の側壁に冷却ファンへ外気を導入するための吸気孔を形成し、
前記吸気孔が形成された側壁に隣接する側壁に、冷却ファンから送られる冷却風を排気する排気孔を形成した
ことを特徴とする空冷式ＬＥＤ照明装置。
【発明の詳細な説明】
【技術分野】
【０００１】
本発明は、空冷式のＬＥＤ照明装置に関する。
【背景技術】
【０００２】
従来から、照明具としては、蛍光灯や発熱灯が一般的に用いられてきたが、これらの照明具に比べて使用寿命が長く、発熱量が少なく、さらに消費電力も低いという利点を持つ発光ダイオード（ＬＥＤ）が、蛍光灯や発熱灯等に代わる照明具として使われ始めている。
ＬＥＤは、上記した利点の他にも、蛍光灯のような「ちらつき」がないため目に優しく、蛍光灯のように紫外線や電磁波も出ない等、様々な利点がある。
しかし、蛍光灯等に比べると発熱量が低いとはいえ、ＬＥＤも発熱をしないわけではなく、発光量が大きくなればなるほどに消費電力と共に発熱量も増していく。そして、発熱量の増加に伴ってＬＥＤの温度が上昇すると、それによって光変換効率が低下すると共に、使用寿命も短くなる。ＬＥＤの使用条件温度は０℃〜４０℃が好ましく、４０℃より高い温度、具体的には５０℃を超えると光変換効率が低下し始め、８０℃より高くなると光変換効率が大きく低下する。このため、発光量が小さい場合には必要ないが、大きな発光量を必要とする照明具にＬＥＤを使用する場合には、ＬＥＤを冷却しながら使用する必要がある。従来は、大きな発光量を必要とする照明具にＬＥＤを使用する場合には、放熱板によりＬＥＤを冷却していた（特許文献１）。
【先行技術文献】
【特許文献】
【０００３】
【特許文献１】特開２００９−８８３７３公報
【発明の概要】
【発明が解決しようとする課題】
【０００４】
しかし、放熱板だけを用いてＬＥＤを冷却する方法では、放熱性能が放熱板の表面積に依存するため、ＬＥＤの発光量を大きくすればする程、放熱板が大型化してしまい、それに伴ってＬＥＤ照明装置全体が重くなってしまうという問題がある。
本発明は、上記した従来の問題に鑑みて、ＬＥＤ照明装置全体を大型化及び重量化することなく、十分な発光量を得ることができるＬＥＤ照明装置を提供することを目的としている。
【課題を解決するための手段】
【０００５】
上記した目的を達成するために、本発明に係る空冷式ＬＥＤ照明装置は、角筒状のハウジングの下端に、複数のＬＥＤが装着されたＬＥＤ基板を設け、前記ハウジングの上端に電源装置を配置すると共に、前記電源の下方に冷却ファンを配置し、前記ＬＥＤ基板におけるハウジング内部側に放熱板を設け、前記冷却ファンから送風される冷却風が前記放熱板に衝突するようにすると共に、前記ハウジングの対向する一対の側壁に冷却ファンへ外気を導入するための吸気孔を形成し、前記吸気孔が形成された側壁に隣接する側壁に、冷却ファンから送られる冷却風を排気する排気孔を形成したことを特徴とする。
【発明の効果】
【０００６】
本発明に係る空冷式ＬＥＤ照明装置は、角筒状のハウジングの下端に、複数のＬＥＤが装着されたＬＥＤ基板を設け、前記ハウジングの上端に電源装置を配置すると共に、前記電源の下方に冷却ファンを配置し、前記ＬＥＤ基板におけるハウジング内部側に放熱板を設け、前記冷却ファンから送風される冷却風が前記放熱板に衝突するようにすると共に、前記ハウジングの対向する一対の側壁に冷却ファンへ外気を導入するための吸気孔を形成し、前記吸気孔が形成された側壁に隣接する側壁に、冷却ファンから送られる冷却風を排気する排気孔を形成しているので、放熱板のみを用いて冷却を行う従来のＬＥＤ照明装置に比べると冷却効率が極めて高い。よって、ＬＥＤの数を増やす等して、ＬＥＤ照明装置の発光量を増加させても、それに伴って放熱板を大きくしてＬＥＤ照明装置が大型化したり重量化したりすることがない。
また、本発明に係る空冷式ＬＥＤ照明装置は、角筒状のハウジングの対向する一対の側壁に冷却ファンへ外気を導入するための吸気孔を形成し、前記吸気孔が形成された側壁に隣接する側壁に、冷却ファンから送られる冷却風を排気する排気孔を形成しているので、ハウジングへの吸気方向とハウジングからの排気方向を９０度ずらすことができる。よって、ハウジング内で暖められた排気を吸気孔から再び吸ってしまうことがなくなるので冷却ファンによる効率のよいＬＥＤの冷却が可能になる。
【図面の簡単な説明】
【０００７】
【図１】本発明に係る空冷式ＬＥＤ照明装置の概略正面図である（前壁プレートは外されている。）。
【図２】図１に示した空冷式ＬＥＤ照明装置の概略右側面図である（側壁プレートは外されている。）。
【図３】図１に示した空冷式ＬＥＤ照明装置の底面図である。
【図４】図１に示した空冷式ＬＥＤ照明装置におけるハウジングの前壁プレートを示す図である。
【図５】図１に示した空冷式ＬＥＤ照明装置におけるハウジングの右側壁プレートを示す図である。
【発明を実施するための形態】
【０００８】
以下、添付図面を参照して本発明に係る空冷式ＬＥＤ照明装置（以下、単にＬＥＤ照明装置と称する。）の実施の形態について説明していく。
【０００９】
図１〜図３に示すように、本発明に係る空冷式ＬＥＤ照明装置は、角筒状のハウジング１の上端に電源ソケットを有する電源装置２を、下端にＬＥＤ基板３を設けて成るものである。前記電源装置２は、既存のランプソケットに取り付け可能なねじ部２ａと、ＬＥＤ並びに後述するポンプ及び冷却ファンに電力を供給する電流駆動回路２ｂとを有している。
ハウジング１における前記電源装置２の下方には、冷却ファン４が配置されている。
図３に示すように、前記ＬＥＤ基板３には複数（この実施例では２１個）のＬＥＤ６が配置されており、また、図２に示すようにＬＥＤ基板３のハウジングの内部側には複数の放熱板３ａが設けられている。
【００１０】
上記したように構成された空冷式ＬＥＤ照明装置は、冷却ファン４を作動させることによって、冷却風が冷却ファン４の真下に位置するＬＥＤ基板３の放熱板３ａに衝突してＬＥＤ基板３（即ち、ＬＥＤ６）を冷却する。
図５に示すように、ハウジング１において、冷却ファン４用の吸気孔１０は、ハウジング１の左右側壁プレート１ａに設けられており、また、図４に示すように冷却ファン４用の排気孔１１は、ハウジング１の前後壁プレート１ｂに設けられている。
これにより、冷却ファン４によるハウジング１内への吸気方向と排気方向とが９０度ずれるので、冷却ファン４が、排気孔１１から排気された空気を、再び、吸気孔１０から吸気してしまうことが防止され、ＬＥＤ基板３の効率のよい冷却が達成される。
【符号の説明】
【００１１】
１  ハウジング
１ａ  左右側壁プレート
１ｂ  前後壁プレート
２  電源装置
２ａ  ねじ部
２ｂ  電流駆動回路
３  ＬＥＤ基板
３ａ  放熱板
４  冷却ファン
６  ＬＥＤ
１０  吸気孔
１１  排気孔
【図１】
2011146319.tif 000003
【図２】
2011146319.tif 000004
【図３】
2011146319.tif 000005
【図４】
2011146319.tif 000006
【図５】
2011146319.tif 000007